(57)【要約】  【課題】バトン26の水平方向への移動や回転の際に、他のバトン26との干渉を防止できるバトン装置16を提供する。  【解決手段】移動機構30でフレーム29を水平方向に移動可能に支持する。フレーム29に、バトン26を昇降させる昇降機構27と、バトン26を水平方向に回転させる回転機構28とを設ける。フレーム29は、昇降機構27によるバトン26の上昇時にバトン26を内側に収容するとともに、バトン26の収容状態での回転機構28によるバトン26の回転を許容する。バトン26の昇降、水平移動および回転により、バトン26の位置のセッティングの自由度を向上させる。フレーム29の内側にバトン26を収容し、バトン26の水平方向への移動や回動の際に、バトン26が他のバトン26と干渉するのを防止する。  【選択図】図１
2006128003.tif 000002
【特許請求の範囲】
【請求項１】
バトンと；
バトンを昇降させる昇降機構と；
バトンおよび昇降機構を支持し、昇降機構によるバトンの上昇時にバトンを内側に収容するフレームと；
フレームを水平方向に移動可能に支持する移動機構と；
を具備していることを特徴とするバトン装置。
【請求項２】
バトンと；
バトンを昇降させる昇降機構と；
バトンを水平方向に回転させる回転機構と；
バトン、昇降機構および回転機構を支持し、昇降機構によるバトンの上昇時にバトンを内側に収容するとともに回転機構によるバトンの回転を許容するフレームと；
を具備していることを特徴とするバトン装置。
【請求項３】
バトンと；
バトンを昇降させる昇降機構と；
バトンを水平方向に回転させる回転機構と；
バトン、昇降機構および回転機構を支持し、昇降機構によるバトンの上昇時にバトンを内側に収容するとともに回転機構によるバトンの回転を許容するフレームと；
フレームを水平方向に移動可能に支持する移動機構と；
を具備していることを特徴とするバトン装置。
【請求項４】
フレームに受電接続部を設け、
フレームの受電接続部と接続する給電接続部を移動機構によるフレームの移動域に沿って所定間隔毎に設けたことを特徴とする請求項１または３記載のバトン装置。
【請求項５】
フレームに回転機構を操作するハンドルを設けたことを特徴とする請求項２または３記載のバトン装置。
【請求項６】
請求項１ないし５いずれか一記載のバトン装置と；
バトン装置のバトンに取り付けた照明器具と；
を具備していることを特徴とする照明装置。
【発明の詳細な説明】
【技術分野】
【０００１】
本発明は、バトンの移動が可能なバトン装置、およびこのバトン装置を用いた照明装置に関する。
【背景技術】
【０００２】
従来、テレビや映画のスタジオ、あるいは舞台などの演出空間の天井には、演出空間を照明する照明器具や、演出空間に配置する舞台セットなどを吊り下げるバトン装置が設置されている。
【０００３】
このバトン装置では、天井に設置されたグリッドに昇降機構を設け、この昇降機構から引き出された複数のワイヤでバトンを吊り下げ、バトンおよびこのバトンに取り付けられた照明器具などを昇降させている（例えば、特許文献１参照。）。
【０００４】
また、バトン装置では、グリッドに対してバトンを水平方向に移動させる移動機構を設け、バトンの昇降と水平方向の移動とを組み合わせたり、あるいは、グリッドに対してバトンを水平方向に回転させる回転機構を設け、バトンの昇降と水平方向の回転とを組み合わせ、演出空間におけるバトンの位置のセッティングの自由度を高めたものもある。
【特許文献１】特開平１０−３２６５１０号公報（第２−３頁、図７−８）
【発明の開示】
【発明が解決しようとする課題】
【０００５】
しかしながら、従来のバトン装置では、演出空間におけるバトンの位置のセッティングの自由度を高めるために、バトンの昇降と水平方向の移動とを組み合わせたり、あるいはバトンの昇降と水平方向の回転とを組み合わせたものがあるが、バトンを水平方向に移動させた際に、バトンが振れて近傍に位置する他のバトンなどと干渉したり、バトンを水平方向に回転させた際に、バトンの端部が近傍に位置する他のバトンなどと干渉し、このような干渉により、バトン同士が衝突したりバトンと他のバトンに取り付けられた照明器具などとが衝突し、破損が生じるおそれがある。
【０００６】
本発明は、このような点に鑑みなされたもので、バトンの水平方向への移動や回転の際に他のバトンなどとの干渉を防止できるバトン装置、およびこのバトン装置を用いた照明装置を提供することを目的とする。
【課題を解決するための手段】
【０００７】
請求項１記載のバトン装置は、バトンと；バトンを昇降させる昇降機構と；バトンおよび昇降機構を支持し、昇降機構によるバトンの上昇時にバトンを内側に収容するフレームと；フレームを水平方向に移動可能に支持する移動機構とを具備しているものであり、バトンの水平方向への移動時に、フレームの内側に収容したバトンが他のバトンなどと干渉するのが防止される。
【０００８】
請求項２記載のバトン装置は、バトンと；バトンを昇降させる昇降機構と；バトンを水平方向に回転させる回転機構と；バトン、昇降機構および回転機構を支持し、昇降機構によるバトンの上昇時にバトンを内側に収容するとともに回転機構によるバトンの回転を許容するフレームとを具備しているものであり、バトンの水平方向への回転時に、フレームの内側に収容したバトンが他のバトンなどと干渉するのが防止される。
【０００９】
請求項３記載のバトン装置は、バトンと；バトンを昇降させる昇降機構と；バトンを水平方向に回転させる回転機構と；バトン、昇降機構および回転機構を支持し、昇降機構によるバトンの上昇時にバトンを内側に収容するとともに回転機構によるバトンの回転を許容するフレームと；フレームを水平方向に移動可能に支持する移動機構とを具備しているものであり、バトンの水平方向への移動時および回転時に、フレームの内側に収容したバトンが他のバトンなどと干渉するのが防止される。
【００１０】
なお、これらフレームの下面はバトンを収容するために開口されるが、側面については、バトンを内側に収容可能であれば、さらにはバトンが回転可能であれば、側面に開口を有する枠状でもよいし側面全周を閉塞していてもよい。また、昇降機構、移動機構および回転機構は、モータなどの駆動源を用いるものや、手動で操作するものを含む。昇降機構は、バトンをワイヤで吊り下げ、ワイヤの巻き取り巻き戻しでバトンを昇降させる機構を含む。移動機構は、レールに沿ってフレームを移動させる機構を含む。
【００１１】
請求項４記載のバトン装置は、請求項１または３記載のバトン装置において、フレームに受電接続部を設け、フレームの受電接続部と接続する給電接続部を移動機構によるフレームの移動域に沿って所定間隔毎に設けたものであり、フレームのどこに移動しても給電が可能となる。なお、受電接続部および給電接続部とは、ケーブルの先端にプラグやコネクタなどを備えたものを含む。
【００１２】
請求項５記載のバトン装置は、請求項２または３記載のバトン装置において、フレームに回転機構を操作するハンドルを設けたものであり、ハンドル操作によるバトンの振れが少なくなる。
【００１３】
請求項６記載の照明装置は、請求項１ないし５いずれか一記載のバトン装置と；バトン装置のバトンに取り付けた照明器具と；を具備しているものである。
【発明の効果】
【００１４】
請求項１記載のバトン装置によれば、移動機構によって水平方向に移動するフレームにバトンおよび昇降機構を支持し、昇降機構によるバトンの上昇時にバトンをフレームの内側に収容するので、バトンの水平方向への移動時に、バトンが他のバトンなどと干渉するのを防止でき、バトンなどを保護できる。
【００１５】
請求項２記載のバトン装置によれば、フレームにバトン、昇降機構および回転機構を支持し、昇降機構によるバトンの上昇時にバトンをフレームの内側に収容するとともに回転機構によるバトンの回転を許容するので、バトンの水平方向への回転時に、バトンが他のバトンなどと干渉するのを防止でき、バトンなどを保護できる。
【００１６】
請求項３記載のバトン装置によれば、移動機構によって水平方向に移動するフレームにバトン、昇降機構および回転機構を支持したので、バトンの昇降、水平方向の移動および回転ができてバトンの位置のセッティングの自由度を向上でき、しかも、昇降機構によるバトンの上昇時にバトンをフレームの内側に収容するとともに回転機構によるバトンの回転を許容するので、バトンの水平方向への移動時および回動時に、バトンが他のバトンなどと干渉するのを防止でき、バトンなどを保護できる。
【００１７】
請求項４記載のバトン装置によれば、請求項１または３記載の照明装置の効果に加えて、フレームの受電接続部と接続する給電接続部を移動機構によるフレームの移動域に沿って所定間隔毎に設けたので、移動機構によってフレームをどこに移動させてもフレーム側に対して給電できる。
【００１８】
請求項５記載のバトン装置によれば、請求項２または３記載の照明装置の効果に加えて、フレームに回転機構を操作するハンドルを設けたので、ハンドル操作によるバトンの振れが少なく、バトンをスムーズに回転させることができる。
【００１９】
請求項６記載の照明装置によれば、請求項１ないし５いずれか一記載のバトン装置のバトンに照明器具を取り付けたので、照明器具の干渉による衝突を防止でき、照明器具を保護できる。
【発明を実施するための最良の形態】
【００２０】
以下、本発明の一実施の形態を図面を参照して説明する。
【００２１】
図１はバトン装置および照明装置の正面図、図２はバトン装置および照明装置の側面図、図３はバトン装置の平面図、図４はバトン装置の配置図である。
【００２２】
図４において、11は例えばテレビや映画のスタジオ、あるいは舞台などの演出空間で、この演出空間11の天井には天井構造物12（図１および図２参照）に支持されて格子状に組まれたグリッド13（図１および図２参照）が設置されており、このグリッド13に対して作業者が乗って歩いたり作業ができるいわゆるキャットウォークと呼ばれる作業架台14が吊り下げ支持されている。この作業架台14には演出空間11の所定方向（例えばスタジオのセットや舞台へ向かう方向）に沿って長い複数の開口領域15が設けられ、各開口領域15にはバトンの昇降、所定方向への水平移動、および水平回転が可能な複数のバトン装置16が各開口領域15の長手方向（所定方向）に沿って位置され、作業架台14の外側にはバトンの昇降可能な複数のバトン装置17およびバトンの昇降と水平移動が可能な複数のバトン装置18が位置され、これらバトン装置16，17，18がグリッド13に吊り下げ支持されている。
【００２３】
作業架台14には、所定方向に隣り合う開口領域15の間に渡り部分14aが設けられている。
【００２４】
次に、図１ないし図３に、グリッド13、作業架台14およびバトン装置16などを示す。
【００２５】
作業架台14は、作業者が乗る架台部21を有し、この架台部21が複数の吊り部22によりグリッド13に対して吊り下げ支持され、架台部21の開口領域15側および外側の両側部に沿って手摺23が設置されている。
【００２６】
また、バトン装置16は、バトン26、このバトン26を昇降させる昇降機構27、この昇降機構27を介してバトン26を水平方向に回転させる回転機構28、この回転機構28を介してバトン26および昇降機構27を支持するフレーム29、このフレーム29を開口領域15の長手方向に対応して水平方向に移動させる移動機構30を備えている。バトン26には照明器具31が吊り下げ支持され、バトン装置16と照明器具31とで照明装置32が構成されている。
【００２７】
バトン26は、両端の三角形状の端板35の各頂部間に連結棒36がそれぞれ架設されているとともにこれら連結棒36間が複数の連結部材37で連結されて、断面略三角形状の枠状で横長に組み立てられており、その三角形の一辺側が上方に向けられ、この一辺に対向する１つの頂部の連結棒36が下方に向けられ、その連結棒36に照明器具31が吊り下げ支持されている。
【００２８】
また、昇降機構27は、バトン26を吊り下げ支持する２本を１組とした２組の吊ワイヤ40を有し、バトン26内の中央に２組の吊ワイヤ40を同時に巻き取る巻取ドラム41が回転可能に配設され、バトン26内の両端近傍に巻取ドラム41から引き出された各吊ワイヤ40が経由する滑車42が回転可能に配設され、これら滑車42を経た各吊ワイヤ40の端部が回転機構28に支持された支持部材43の両端部に連結されており、支持部材43に対して２組の吊ワイヤ40を介してバトン26を吊り下げ支持している。巻取ドラム41は、バトン26内に配置された昇降駆動部としての昇降用モータ44によって巻取方向および巻戻方向に回転駆動する。
【００２９】
バトン26にはフレーム29側から支持部材43を経由して照明器具31と昇降用モータ44とにそれぞれ個別に電源を供給する複合形のバトン用ケーブル45が接続されている。このバトン用ケーブル45は、バトン26の下降を許容する長さを有し、バトン26の上昇時にはバトン26の上部側に収容される。
【００３０】
昇降機構27によるバトン26の上昇指令時には、バトン26が昇降架台14の下側近くまで上昇した位置で一旦自動停止し、再度の上昇指令によりバトン26がフレーム29内に収容された位置で自動停止するように、２段階で自動停止するように構成されている。
【００３１】
また、回転機構28は、フレーム29内の中心に取り付けられて支持部材43の中心を回転可能に支持しており、したがって、バトン26の中心を軸としてバトン26を水平方向に回転可能に支持している。そして、バトン26の長手方向がバトン26の水平移動方向に対して直交する方向の位置を基準回転位置とするとともに、フレーム29内に収容する収容回転位置とする。
【００３２】
また、フレーム29は、上面が移動機構30に支持されるとともに下面の中心に回転機構28を支持したベース48と、このベース48の外側縁から下方へ向けて設けられた枠部49とを有している。ベース48は、フレーム29の水平移動方向に対して直交する方向に長く形成されている。枠部49は、ベース49の四隅位置から下方へ向かって延びる４つの縦枠部50を有し、これら縦枠部50の内側間に上昇するバトン26を収容する収容空間51が形成され、この収容空間51の下面がバトン26の昇降を許容するために開口されている。
【００３３】
枠部49の各縦枠部50の内側には、収容空間51に収容したバトン26が振れを規制するとともに緩衝する緩衝作用を有する規制部材52が取り付けられている。また、フレーム29の水平移動方向の一方の縦枠部50の外側には、隣に位置するフレーム29と当接して緩衝する緩衝部材53が取り付けられている。
【００３４】
枠部49の各縦枠部50は、それら縦枠部50を作業架台14上の作業者が手で押したり引っ張ることにより、フレーム29を移動機構30により平行移動させる操作部54として構成されている。
【００３５】
フレーム29の一端側の一方の操作部54の下端には作業架台14上の作業者が回転操作可能とするハンドル55が取り付けられており、作業者がハンドル55を回転操作することにより、ハンドル55の回転をフレーム29の内側に配置される図示しない伝達機構を介して回転機構28に伝達し、バトン26を手動で回転させることができる。
【００３６】
フレーム29の一端側の他方の操作部54の下端からバトン用ケーブル45を介して昇降用モータ44に接続された昇降用接続ケーブル56が引き出され、この昇降用接続ケーブル56の先端に受電接続部としてのプラグ形の昇降用受電コネクタ57が設けられている。フレーム29の他端側の１つの操作部54の下端からバトン用ケーブル45を介して照明器具31に接続された照明用接続ケーブル58が引き出され、この照明用接続ケーブル58の先端に受電接続部としてのプラグ形の照明用受電コネクタ59が設けられている。
【００３７】
また、移動機構30は、作業架台14の開口領域15の上方域でその開口領域15の長手方向に沿ってグリッド13に取り付けられた一対のレール62を有し、これら各レール62に対して吊り下げ状態で移動可能とする複数の滑車63がフレーム29のベース48の上面に設けられている。
【００３８】
レール62は作業架台14の渡り部分14aを介して長手方向に隣り合う開口領域15にわたって設けられていて、隣り合う開口領域15間でフレーム29の移動が可能になっている。作業架台14の渡り部分14aの領域は、図示しないスイッチやセンサで検知してバトン26の昇降を禁止する昇降不可領域としている。
【００３９】
また、フレーム29の移動領域の両側方域であって、作業架台14の開口領域15の両側域における吊り部22の作業者より高い位置に、接続用ダクト66がフレーム29の移動領域に沿って配設されている。一側の接続用ダクト66からはフレーム29の移動領域に沿ってフレーム29同士が接触状態にあるときのピッチに対応した所定間隔毎に昇降用電源ケーブル67が引き出され、これら各昇降用電源ケーブル67の先端に昇降用受電コネクタ57と接続可能とする給電接続部としてのコンセント形の昇降用給電コネクタ68が設けられている。他側の接続用ダクト66からはフレーム29の移動領域に沿ってフレーム29同士が接触状態にあるときのピッチに対応した所定間隔毎に照明用電源ケーブル69が引き出され、これら各照明用電源ケーブル69の先端に照明用受電コネクタ59と接続可能とする給電接続部としてのコンセント形の照明用給電コネクタ70が設けられている。
【００４０】
次に、バトン26のセッティングについて説明する。
【００４１】
バトン26のセッティング時には、バトン26を上昇させ、バトン26および照明器具31をフレーム29の収容空間51に収容した状態とする。
【００４２】
作業架台14に登った作業者が手でフレーム29の操作部54を持って押したり引いたりして、フレーム29を移動機構30のレール62に沿って所定方向に平行移動させ、バトン26とともに照明器具31の所定方向における位置を調整する。このとき、バトン26が振れても、フレーム29に設けられた規制部材52で振れが規制されるとともに緩衝され、フレーム29をスムーズに移動させることができる。
【００４３】
フレーム29を移動させた後、フレーム29から引き出されている各ケーブル56，58の先端の各コネクタ57，59を、各接続用ダクト66からフレーム29の移動領域に沿って所定間隔毎に引き出されている複数の各ケーブル67，69のうちの最も近い各ケーブル67，69の各コネクタ68，70に接続する。
【００４４】
必要に応じて、作業者が手でハンドル55を回転操作することにより、ハンドル55の回転方向に対応した方向に回転機構28を回転させ、支持部材43を介してバトン26を回転させて照明器具31の照射方向を調整する。このとき、フレーム29に回転機構28を操作するハンドル55を設けているので、ハンドル55の操作によるバトン26の振れが少なく、バトン26をスムーズに回転させることができる。
【００４５】
図示しない制御盤で昇降機構27の昇降用モータ44を駆動してバトン26を下降させて任意の位置で停止させ、照明器具31の高さ位置を調整する。
【００４６】
このように、移動機構30によって水平方向に移動するフレーム29にバトン26、昇降機構27および回転機構28を支持しているので、バトン26の昇降、水平方向の移動および回転ができ、演出空間11におけるバトン26の位置つまり照明器具31の位置のセッティングの自由度を向上できる。
【００４７】
しかも、昇降機構27によるバトン26の上昇時にバトン26をフレーム29の内側に収容するとともにこの収容状態で回転機構28によるバトン26の回転を許容するので、バトン26の水平方向への移動時および回動時に、バトン26や照明器具31が他のバトン26や照明器具31と干渉するのを防止でき、バトン26や照明器具31を保護できる。
【００４８】
また、フレーム29に設けた操作部54でフレーム29の移動を操作できるとともに、この操作部54に設けられたハンドル55で回転機構28を操作でき、バトン26の水平方向の移動および回転の操作性を良好にできる。
【００４９】
また、フレーム29の移動時に、フレーム29の規制部材52によりバトン26の振れを規制でき、フレーム29をスムーズに移動させることができ、さらに、フレーム29の緩衝部材53によりフレーム29同士の接触を緩衝できる。
【００５０】
また、フレーム29の各受電コネクタ57，59と接続する各給電コネクタ68，70を移動機構30によるフレーム29の移動域に沿って所定間隔毎に設けているので、移動機構30によってフレーム29をどこに移動させてもバトン26側に対して給電できる。
【００５１】
また、フレーム29に回転機構28を操作するハンドル55を設けたので、ハンドル55の操作によるバトン26の振れが少なく、バトン26をスムーズに回転させることができる。
【００５２】
なお、フレーム29の下面はバトンを収容するために開口されるが、側面については、バトン26を内側に収容可能であれば、さらにはバトン26が回転可能であれば、側面に開口を有する枠状でもよいし側面全周を閉塞していてもよい。
【００５３】
また、昇降機構27、回転機構28および移動機構30は、駆動源を用いるものや、手動で操作するものを含む。
【図面の簡単な説明】
【００５４】
【図１】本発明の一実施の形態を示すバトン装置および照明装置の正面図である。
【図２】同上バトン装置および照明装置の側面図である。
【図３】同上バトン装置の平面図である。
【図４】同上バトン装置の配置図である。
【符号の説明】
【００５５】
16    バトン装置
26    バトン
27    昇降機構
28    回転機構
29    フレーム
30    移動機構
31    照明器具
32    照明装置
55    ハンドル
57    受電接続部としての昇降用受電コネクタ
59    受電接続部としての照明用受電コネクタ
68    給電接続部としての昇降用給電コネクタ
70    給電接続部としての照明用給電コネクタ
【図１】
2006128003.tif 000003
【図２】
2006128003.tif 000004
【図３】
2006128003.tif 000005
【図４】
2006128003.tif 000006